(57)【特許請求の範囲】
【請求項１】
血液透析時に血液透析器に設けたノズルと接続し、また洗浄若しくは消毒時に洗浄、消毒液を供給するカプラと接続するカプラであって、該カプラのノズル嵌入部入り口側の内腔にノズルの係止溝に係合する係合用突出部を有し、かつ該カプラのノズル嵌入部の端部にカプラ本体の外径より大きい径のフランジを設け、このフランジ端面のノズル嵌入口側に、係合用突出部と一体となるシール用突出部を設けたことを特徴とする血液透析器用カプラ。
【請求項２】
フランジ端面におけるシール用突出部の面と係合用突出部の内周面との交点がほぼ直角であることを特徴とする請求項１に記載の血液透析器用カプラ。
【請求項３】
前記係合用突出部におけるノズルの第１傾斜面と接触する傾斜面と、ノズルの第１傾斜面とが不連続に接触することを特徴とする請求項１または２に記載の血液透析器用カプラ。
【請求項４】
請求項１乃至３のいずれかに記載のカプラであって、血液透析時に、第１傾斜面と頂面と第２傾斜面とで形成される台形面形状の係止溝を有するノズルを該カプラに嵌合する際、フランジ端面のシール用突出部の上部と係合用突出部とが係止溝に挿入され、該シール用突出部の上部と係合用突出部内周面との交点近傍がノズルの第２傾斜面に押圧されてシール部を形成することを特徴とする血液透析器用カプラの係止構造。
【請求項５】
請求項１乃至３のいずれかに記載のカプラであって、血液透析に使用したカプラを、洗浄或いは消毒液を供給するカプラと接続して洗浄、殺菌するに際し、それぞれのカプラのフランジ端面を近接或いは接面し、各フランジ端面におけるシール用突出部の上部面と係合用突出部周面との交点部位を、口腔内に露出すると共にそれぞれで押圧してシール部を形成することを特徴とするカプラの係止構造。
【請求項６】
血液透析時に血液透析器に設けたノズルと接続し、また洗浄もしくは消毒時に洗浄、消毒液を供給するカプラと接続するカプラであって、該カプラのノズル嵌入部入り口側の内腔にノズル係止溝に係合する係合用突出部を有し、かつ該カプラのノズル嵌入部の端部にカプラ本体の外径より大きい径のフランジを設け、このフランジ端面のノズル嵌入口側に、フランジ端面よりノズル嵌入口側に向かって外側に傾斜して突出し、かつ、係合用突出部と一体となるシール用傾斜突出部を設けたことを特徴とする血液透析器用カプラ。
【請求項７】
フランジ端面におけるシール用傾斜突出部の面と係合用突出部の内周面との交点が鋭角であることを特徴とする請求項６に記載の血液透析器用カプラ。
【請求項８】
前記係合用突出部におけるノズルの第１傾斜面と接触する傾斜面と、ノズルの第１傾斜面とが不連続に接触することを特徴とする請求項６または７に記載の血液透析器用カプラ。
【請求項９】
請求項６乃至８のいずれかに記載のカプラであって、血液透析時に、第１傾斜面と頂面と第２傾斜面とで形成される台形面形状の係止溝を有するノズルを該カプラに嵌合する際、フランジ端面のシール傾斜用突出部の上部と係合用突出部が係止溝に挿入され、該シール用傾斜突出部の上部がノズルの第２傾斜面に押圧されて係合用突出部との交点でシール部を形成することを特徴とする血液透析器用カプラの係止構造。
【請求項１０】
請求項６乃至８のいずれかに記載のカプラであって、血液透析に使用したカプラを、洗浄もしくは消毒液を供給するカプラと接合して洗浄もしくは消毒するに際し、それぞれのカプラのフランジ端面を接面させ、各フランジ端面におけるシール用傾斜突出部の面同志を押圧し、係合用突出部との交点でシール部を形成することを特徴とするカプラの係止構造。
【発明の詳細な説明】
【０００１】
【発明の属する技術分野】
本発明は、血液透析器の配管系に使用した後、清浄或いは消毒処理して再使用に適するカプラに関するものであり、特に、カプラの構造を単純化し、血液浄化器に取り付けたノズルと密な連結を可能にすると共に、透析後ノズルとの接続を取り外したカプラに洗浄若しくは殺菌液を供給するカプラ同士を接続した際に、血液透析時にノズルと接続していたカプラ内腔の連結面が露出して洗浄可能となり、細菌等による汚染源となるデッドスペースを生じないように接続可能なカプラに関するものである。
すなわち、弾性体で形成したカプラとノズルの連結を単純にし、かつ該ノズルより取り外して洗浄若しくは消毒する際に連結棒（アダプタ）を用いることなくカプラの一端同士を平面で衝合させることにより連結できるようにしたものである。
【０００２】
【従来の技術】
血液の透析治療には、図１にそのフローを模式的に示すように、血液浄化器に取り付けられたノズルｆに、透析液供給・排出配管を接続するカプラａを装着した装置が使用され、透析液を血液浄化器に循環させて血液を浄化する。
上記ノズルに関しては、透析液出入口ポートに関する国際規格（ＩＳＯ  ８６３７）があり、図２（ｂ）に示される断面形状をしている。このノズルｆとはカプラで接続されるが、従来のカプラを例に取ると、図２（ａ）に示すように、カプラａの深部にゴム製のＯリングｂが装着され、挿入されたノズルｆはその先端部分に設けた斜めに切れた突出部１をＯリングｂに密着させて漏水を防止するようになっている。
【０００３】
Ｏリングｂとノズルｆの密着は、カプラの外周に装着した円筒状のスライダーｃに内臓しているバネｅの弾力により、スライダーｃがボールベアリングｄ直上に移動し、複数のボールベアリングｄを外側から内側に圧迫し、これにより発生する中心軸に向かう力を、ノズルの斜めに切れた面２から突出部前部の斜面１に作用させて力の向きを９０度変換することにより、ノズルを中心軸に沿ってＯリングｂに向かわせ、Ｏリングｂにノズル先端側の斜面１を圧着することによってなされている。
【０００４】
また、カプラをノズルから取り外し、洗浄のために洗浄液を供給するカプラ自体を連結して流路を形成させる場合は、図２（ｃ）に示すように、カプラ両端に透析液出入口ポートに関する国際規格（ＩＳＯ  ８６３７）のノズル形状を有する連結棒（アダプタ）ｇを介在させて連結する。
【０００５】
かかるカプラの構造は、外周にセットした円筒状のスライダーｃを移動させるだけでカプラをノズルより容易に脱着が可能な点が優れているが、カプラ内面にＯリングｂやボールベアリングｄなどの部品の装着により複雑な内面構造となり、かつＯリングより遠位部が直接洗浄流路に接しないため、流体力学的なデッドスペースになり、細菌汚染の温床となっている。
【０００６】
また、洗浄の際、カプラを接続するアダプタｇがカプラ内部に挿入され、この部分が流路に曝されないために洗浄が行われないことも重大な汚染原因となっていた。
例えば、慢性腎不全患者の治療のため実施する血液透析における透析液の供給配管の脱着に従来のカプラを使用すると、汚染されたカプラ部から細菌やエンドトキシンが流路に実際に遊出しており、有害な作用を及ぼすことが懸念されている。
【０００７】
このような従来の問題を解決するために、特開平９−５１９４５号公報にはカプラとノズル及びアダプタとのシール部を改良した発明が提示されている。すなわちこの公報には、血液浄化器の継手管部（ノズル）と浄化液の供給ないし排出を行う浄化液チューブとを接続するカプラにおいて、前記血液浄化時のシール位置と洗浄ないし消毒時とのシール位置を異なるように構成するものであり、具体的には、カプラの内面に、ノズルの挿通先端部と当接する第１シール部材を設けると共に、この第１シール部材の手前側の異なる位置に、洗浄もしくは消毒時に用いるアダプタまたはカプラと当接する第２のシール部材を設けたカプラが開示されている。
【０００８】
すなわち、透析時には第１シール部材で血液浄化器のノズルをシールし、第２シール部材でアダプタまたはカプラをシールするようにして、第２のシール部が第１のシール部と重複してデッドスペースを生じないように洗浄もしくは消毒を適性に行うことを意図しているが、シール部を２段に構成するためにカプラの構造が複雑となる。また、アダプタを使用する場合には、アダプタが嵌合されたカプラの内腔部分はアダプタに覆われ、洗浄もしくは消毒が充分に行えないという問題がある。
【０００９】
【発明が解決しようとする課題】
上記したような従来のカプラの構成において、透析液がノズルとのシール部を形成するＯリング部分の裏側等に滞留している透析中においては、エンドトキシン、細菌等が増殖し、これが体内に混入することで、発熱症状等を引き起すことになる。
従来のアダプタを用いてカプラ同士を接続し洗浄する場合でも、アダプタに覆われるＯリング部分を洗浄、消毒することができず、カプラを透析器へ接続するときに、増殖した細菌等が剥がれて混入してしまうことになる。さらに流路を形成するシール部分を複数設けた複雑な構成は避けなければならない。
このことから、透析液の滞留を抑制し、かつ全ての内面を洗浄、消毒することが可能な構造が望まれている。
【００１０】
本発明は、上述したように血液透析処理において、従来解決が困難であった血液透析用の着脱式カプラおよび洗浄もしくは消毒（以下単に洗浄という）用の連結棒の使用によって惹き起こされる、細菌等による汚染発生の問題を解決し、なおかつ簡易な構造とすることにより、操作性、経済性をより向上させる血液透析用カプラを提供することを目的とする。
【００１１】
【課題を解決するための手段】
本発明は上記目的を達成するために、カプラにおいて、血液透析時におけるノズルとのシール部と、洗浄時におけるカプラとのシール部とを同じ位置とし、しかも透析使用時に液の滞留がなく、かつ洗浄時にはシール部が露出して洗浄液に晒される構成とした。
【００１２】
すなわち本発明は、以下の構成を要旨とする。
（１）  血液透析時に血液透析器に設けたノズルと接続し、また洗浄若しくは消毒時に洗浄、消毒液を供給するカプラと接続するカプラであって、該カプラのノズル嵌入部入り口側の内腔にノズルの係止溝に係合する係合用突出部を有し、かつ該カプラのノズル嵌入部の端部にカプラ本体の外径より大きい径のフランジを設け、このフランジ端面のノズル嵌入口側に、係合用突出部と一体となるシール用突出部を設けたことを特徴とする血液透析器用カプラ。
（２）  フランジ端面におけるシール用突出部の面と係合用突出部の内周面との交点がほぼ直角であることを特徴とする前項（１）に記載の血液透析器用カプラ。
（３）  前記係合用突出部におけるノズルの第１傾斜面と接触する傾斜面と、ノズルの第１傾斜面とが不連続に接触することを特徴とする前記（１）または（２）に記載の血液透析器用カプラ。
（４）  前記（１）乃至（３）のいずれかに記載のカプラであって、血液透析時に、第１傾斜面と頂面と第２傾斜面とで形成される台形面形状の係止溝を有するノズルを該カプラに嵌合する際、フランジ端面のシール用突出部の上部と係合用突出部とが係止溝に挿入され、該シール用突出部の上部と係合用突出部内周面との交点近傍がノズルの第２傾斜面に押圧されてシール部を形成することを特徴とする血液透析器用カプラの係止構造。
（５）  前記（１）乃至（３）のいずれかに記載のカプラであって、血液透析に使用したカプラを、洗浄或いは消毒液を供給するカプラと接続して洗浄、殺菌するに際し、それぞれのカプラのフランジ端面を近接或いは接面し、各フランジ端面におけるシール用突出部の上部面と係合用突出部周面との交点部位を、口腔内に露出すると共にそれぞれで押圧してシール部を形成することを特徴とするカプラの係止構造。
【００１３】
（６）  血液透析時に血液透析器に設けたノズルと接続し、また洗浄もしくは消毒時に洗浄、消毒液を供給するカプラと接続するカプラであって、該カプラのノズル嵌入部入り口側の内腔にノズル係止溝に係合する係合用突出部を有し、かつ該カプラのノズル嵌入部の端部にカプラ本体の外径より大きい径のフランジを設け、このフランジ端面のノズル嵌入口側に、フランジ端面よりノズル嵌入口側に向かって外側に傾斜して突出し、かつ、係合用突出部と一体となるシール用傾斜突出部を設けたことを特徴とする血液透析器用カプラ。
（７）  フランジ端面におけるシール用傾斜突出部の面と係合用突出部の内周面との交点が鋭角であることを特徴とする前記（６）に記載の血液透析器用カプラ。
（８）  前記係合用突出部におけるノズルの第１傾斜面と接触する傾斜面と、ノズルの第１傾斜面とが不連続に接触することを特徴とする前記（６）または（７）に記載の血液透析器用カプラ。
（９）  前記（６）乃至（８）のいずれかに記載のカプラであって、血液透析時に、第１傾斜面と頂面と第２傾斜面とで形成される台形面形状の係止溝を有するノズルを該カプラに嵌合する際、フランジ端面のシール傾斜用突出部の上部と係合用突出部が係止溝に挿入され、該シール用傾斜突出部の上部がノズルの第２傾斜面に押圧されて係合用突出部との交点でシール部を形成することを特徴とする血液透析器用カプラの係止構造。
（１０）  前記（６）乃至（８）のいずれかに記載のカプラであって、血液透析に使用したカプラを、洗浄もしくは消毒液を供給するカプラと接合して洗浄もしくは消毒するに際し、それぞれのカプラのフランジ端面を接面させ、各フランジ端面におけるシール用傾斜突出部の面同志を押圧し、係合用突出部との交点でシール部を形成することを特徴とするカプラの係止構造。
【００１４】
【発明の実施の形態】
以下に本発明を図に示す実施例に基づいて詳細に説明する。
図３は血液浄化器の血液浄化液の出入口に設けたノズル３であって、その周面には先端４方向に広がる第１の傾斜面５と平坦面６と反先端側に広がる第２の傾斜面７で形成される台形状の係止溝８を備えている。
【００１５】
図４は本発明のカプラ９であって、血液浄化時にはノズル３を挿入してノズル３と結合し（図７）、洗浄時、すなわち血液浄化使用後の浄化液給・排系を洗浄する場合には洗浄液を供給するカプラと結合する（図１１）。
カプラ９には、ノズル３の外周とほぼ相同の内周形状で形成される内腔１０を有し、一端にはカプラ本体の外周面より大きな外周を有するフランジ１１を設けている。カプラ内腔１０のノズル嵌入部入り口１２部分には、図５に図４のＡ部を拡大して示すように、ノズル３の係止溝８と係合する係合用突出部１３を設け、一方、フランジ端面１４のノズル嵌入部入り口１２側にシール用突出部１５を設けており、該シール用突出部１５の面は前記内腔部に設けた係合用突出部１３の面とはほぼ直角に交差した交点Ｃで連続している。
【００１６】
図示のように、係合用突出部１３は傾斜部１６（ノズルの第１傾斜面と接する面）と平坦面１７で構成され、この平坦面１７と連続するシール用突出部１５はフランジ端面１４より僅かに、例えば０．５ｍｍ程度突出させている。
また、係合用突出部１３の傾斜部１６には図６（図４のＸ−Ｘ線断面図）に示すように、平坦部１７に連続する溝１６ａを設けノズル３をカプラに嵌入した場合、ノズル３の第１傾斜面５との接触が周面方向に不連続となる形状に形成するのが好ましい。
不連続形状にするには溝１６ａは直線状に限らず波状等その形状は問わない。また不連続な突起でもよく、ノズルの第１傾斜面５と係合用突出部の傾斜部１６ａとの間に透析液が流通し得る連続した隙間が形成されればよい。
【００１７】
図７に本発明のカプラ９にノズル３を挿入し、ノズル３とカプラ９とをシールする状態を示している。図８の（ａ），（ｂ），（ｃ）にシールする状況を拡大して示している。すなわち、図８（ａ）はノズル３をカプラ９に嵌め込んだ初期段階を示すものであって、カプラ内面突出部の傾斜面１６とノズル係止溝の第１傾斜面５とが近接している。この際、係合用突出部１３面とシール用突出部１５面との交点Ｃはノズル係止溝８の第２傾斜面７とは接触していない。図８（ｂ）はカプラの嵌め込みが進んだ中間段階を示しており、ノズルの第１傾斜面５と係合用突出部の傾斜部１６とが接面しつつ係合用突出部１３面とシール用突出部１５面との交点Ｃがノズル係止溝８の第２傾斜面７に接触し、さらに嵌め込みが進行し最終段階に達すると、図８（ｃ）に示すように、交点Ｃが第２傾斜面７に押圧され交点Ｃを中心に蜜着し、シール部を形成する。この際ノズル係止溝の第１傾斜面５と係合用突出部の傾斜部１６も不規則ではあるが接触し、交点Ｃの圧接に寄与する。
このように、ノズルとカプラのシールは図９に拡大して示すように、交点Ｃにおいてなされ、押圧の程度により、交点Ｃを中心にその近傍が第２傾斜面７と接触する。すなわち図１０のようにシール部は交点Ｃもしくは交点Ｃを中心に矢印Ｓの範囲において形成される。
【００１８】
上記シール部以外の部分におけるノズル外周とカプラの内腔との接触は、全周において液密を形成するものでなく、図７に示すように些かな隙間があり、シールの役割を十分に果たしてはいない。従って、ノズル係止溝８の平坦面６と係合用突出部の平坦部１７との間に形成される空間Ｅにノズル係止溝の傾斜面５と係合用突出部の傾斜部１６の面間から透析液が浸透して滞留し、滞留した透析液中に存在する僅かなエンドトキシンや細菌が増殖する。増殖した細菌などが何等かの原因で新鮮な透析液側に露出し、透析器を介して人体に注入されることになる。
このような場合、図６に示すように、カプラの係合用突出部１３の傾斜部１６に溝１６ａなどを設けて、ノズルの傾斜面５間での液の流通をよくする構成を採用するのがよい。これによって、ノズルの平坦面６とカプラの係合用突出部１３とで形成される空間Ｅが密閉滞留空間とならず、透析液の流動が生じることになる。即ち、この空間Ｅに透析液を流動させて滞留させないようにすることで、細菌やエンドトキシンの増殖を押さえることが可能となる。
【００１９】
一方、洗浄時には、図１１に示すように、血液浄化に使用したカプラ９と洗浄液を供給するカプラ９ａをフランジ１１と１１ａの端面１４と１４ａを対面させ、フランジ１１と１１ａに設けたシール用突出部１５と１５ａの面同士を押圧せしめて衝合し、交点Ｃの密着でシールされる。図１２は突出部の拡大図であり、シール部は交点Ｃが起点になり、シール用突出部１５（１５ａ）、すなわち矢印Ｓの範囲において形成される。
このように、本実施例のカプラ９では、浄化時および清浄時に形成されるシール部は同一部分で形成される。
【００２０】
フランジの端面１４と１４ａを押圧するには、フランジ１１と１１ａを対面させ、これらのフランジを、例えば特願２０００−１８０５１９号明細書に記載したようなロック機構あるいはクランプ機構等を用いて連結することができるが、これらの手段に制約されることなくその他の手段を用いてもよいことは勿論である。
【００２１】
図１３は本発明の別の実施例のカプラ２０を示しており、血液浄化時にはノズル３を挿入してノズル３と結合し、洗浄時、すなわち血液浄化使用後の浄化液給・排系を洗浄する場合には洗浄液を供給するカプラと連結すること、図４に示すカプラ９と同様である。
カプラ２０には、ノズル３の外周とほぼ相同の内周形状で形成される内腔２１を有し、一端にはカプラ本体の外周面より大きな外周を有するフランジ２２を設けている。カプラ内腔２１のノズル嵌入部入り口２３部分には、図１４に図１３のＢ部を拡大して示すように、ノズル３の係止溝８と係合する係合用突出部２４を設け、一方、フランジ端面２５ノズル嵌入部入り口２３側に、フランジ端面２５より外側に傾斜するシール用傾斜突出部２６を設けており、該シール用傾斜突出部２６の面は前記内腔部に設けた係合用突出部２４の面と鋭角に交差した交点Ｄで連続している。
すなわち図示のように、係合用突出部２４は傾斜面２７（ノズルの第１傾斜面と接する面）と平坦面２８で構成され、この平坦面２８と連続するシール用傾斜突出部２６はカプラ中心軸に対して垂直なフランジ端面１４より角α（例えば４５度以下）で外側に傾斜している。
【００２２】
また係合用突出部２４の傾斜部２７には図１３のＹ−Ｙ線断面が、図６に示されるような、平坦面（２８）に連続する溝１６ａなどを形成して、図４と同様な目的に使用できる。
【００２３】
図１５に本発明のカプラ２０にノズル３を挿入し、ノズル３とカプラ２０とをシールする状態を示している。図１６（ａ），（ｂ）にシールする状況を拡大して示している。すなわち、図１６（ａ）はノズル３をカプラ２０に嵌め込んだ途中段階を示すものであって、カプラ係合用突出部の傾斜面２７とノズル係止溝の第１傾斜面５とが接触している。この際、係合用突出部の平坦面２８とシール用傾斜突出部２６面との交点Ｄはノズル係止溝８の第２傾斜面７とが接触する。さらに嵌め込みが進行し最終段階に達すると、図１６（ｂ）に示すように、交点Ｄを始点とするシール用傾斜突出部２６面が第２傾斜面７に押圧されて密着し、シール部を形成する。
このように、本実施例のカプラでは図１７に示すように、カプラ２０のシール用傾斜突出部２６がシール部Ｓとなる。
【００２４】
上記シール部以外の部分におけるノズル外周とカプラ内腔との接触はは全周において液密を形成するものでなく、図１５に示すように些かな隙間があり、シールの役割を十分に果たすことができない。従って、係合用突出部２４の平坦部２８とノズル係止溝の平坦面６間に形成される空間Ｅに対する透析液の流動も、図４のカプラと同様に機能させることができる。
【００２５】
血液浄化後の本例カプラを洗浄する場合には、図１８（ａ）に示すように、血液浄化に使用したカプラ２０と洗浄液を供給するカプラ２０ａをフランジ２２と２２ａの端面２５と２５ａを対面させ、それぞれの交点Ｄ突合わせるとともに、図１８（ｂ）に示すように、フランジ２２と２２ａとを接触押圧させ、シール用傾斜突出部２６と２６ａの面同士を衝合することによりシール部が形成され、特に鋭角の交点Ｄでの密着でシールが緊密になる。図１９は本例カプラのシール部Ｓを示し、血液浄化時と同様のシール部Ｓが構成される。
【００２６】
フランジの端面２５と２５ａを押圧するするには、前記カプラ９と９ａと同様の手段を用いればよい。
【００２７】
【発明の効果】
以上に詳述したように、本発明のカプラでは、血液浄化時におけるノズルとのシール部と、血液浄化に使用したカプラと洗浄する時の洗浄液を供給するカプラとのシール部が同一部分で形成されため、血液浄化時に透析液と接触する部分は洗浄時隠蔽されることなく洗浄液の流路に晒されて十分に洗浄されるので、細菌等による汚染発生の問題を解消できる。しかも、このシール部はカプラに設けたフランジ部分に突出部を設けるという簡単な構成であるため、従来のカプラのように、浄化時と清浄時に異なった位置にするような複雑な構成とする必要がなく、操作性、経済性をより向上させるという、極めて優れた効果を奏する。
【図面の簡単な説明】
【図１】透析治療のフローの概要を示す図。
【図２】従来のカプラの使用状況を示し、（ａ）はノズルとの接合、（ｂ）は国際規格のノズル構造、（ｃ）は連結棒（アダプタ）との接続を示す説明図。
【図３】血液透析機に取り付けたノズルを示す断面図。
【図４】本発明カプラの実施例を示す断面図。
【図５】図４におけるＡ部の拡大図。
【図６】図４のＸ−Ｘ線断面及び図１３のＹ−Ｙ線断面を示す図。
【図７】本発明のカプラにノズルを挿入した状態を示す図。
【図８】本発明カプラのノズルとのシール部を形成する過程を説明する、（ａ）は初期段階、（ｂ）は途中段階、（ｃ）最終段階を示す図。
【図９】本発明シール部の拡大図。
【図１０】本発明カプラの浄化時シール部を示す説明図。
【図１１】本発明の洗浄時カプラの使用状況を示す図。
【図１２】本発明の洗浄時カプラのシール部を示す図。
【図１３】本発明カプラの他の実施例を示す断面図。
【図１４】図１２におけるＢ部の拡大図。
【図１５】本発明の他の実施例のカプラにノズルを挿入した状態を示す図。
【図１６】本発明他の実施例のカプラのノズルとのシール部を形成する過程を説明する、（ａ）は途中段階、（ｂ）最終段階を示す図。
【図１７】本発明の他の実施例のカプラの浄化時シール部を示す説明図。
【図１８】本発明の他の実施例の洗浄時カプラの使用状況を示し、（ａ）は当初位置、  （ｂ）は洗浄時の接合状態を示す図。
【図１９】本発明の他の実施例の洗浄時カプラのシール部を示す図。
【符号の説明】
ａ：従来のカプラの本体          ｂ：Ｏリング
ｃ：スライダー                    ｅ：  ばね
ｆ：ノズル（ＩＳＯ  ８６３７）    ｇ：連結棒１：
１：ノズルの凸の尖端側の斜め部分  ２：ノズルの凸部の基底側の斜め部分
３：ノズル                        ４：ノズル先端
５：第１傾斜面                    ６：平坦面
７：第２傾斜面                    ８：係止溝
９，９ａ：カプラ                  １０：内腔
１１，１１ａ：フランジ              １２：ノズル嵌入部入り口
１３，１３ａ：係合用突出部          １４，１４ａ：フランジ端面
１５，１５ａ：シール用突出部        １６：係合用突出部の傾斜部
１６ａ：溝                          １７：係合用突出部の平坦部
２０：カプラ                        ２１：内腔
２２：フランジ                      ２３：ノズル嵌入部入り口
２４：係合用面突出部                ２５：フランジ端面
２６：シール用傾斜突出部            ２７：係合用突出部の傾斜部
２８：係合用突出部の平坦部
Ｃ：交点          Ｄ：交点        Ｅ：空間
【図１】
0004359406.tif 000002
【図２】
0004359406.tif 000003
【図３】
0004359406.tif 000004
【図４】
0004359406.tif 000005
【図５】
0004359406.tif 000006
【図６】
0004359406.tif 000007
【図７】
0004359406.tif 000008
【図８】
0004359406.tif 000009
【図９】
0004359406.tif 000010
【図１０】
0004359406.tif 000011
【図１１】
0004359406.tif 000012
【図１２】
0004359406.tif 000013
【図１３】
0004359406.tif 000014
【図１４】
0004359406.tif 000015
【図１５】
0004359406.tif 000016
【図１６】
0004359406.tif 000017
【図１７】
0004359406.tif 000018
【図１８】
0004359406.tif 000019
【図１９】
0004359406.tif 000020